(57)【要約】      （修正有）【課題】本発明は、津波や海難事故に遭遇した場合に、空気袋及び水袋として使用できる流体収納袋を提供することを目的とする。【解決手段】本発明に係る流体収納袋は、胸部側又は背部側のいずれか一方又は双方に装着する空気袋Ａ１，Ａ２と当該空気袋を身体に装着するための空気袋装着具と、１又は複数の水袋Ａ３と当該水袋を身体に装着するための水袋装着具を備えてなることを特徴とする。【選択図】図２３
2018176903.tif 000002
【特許請求の範囲】
【請求項１】
胸部側又は背部側のいずれか一方又は双方に装着する空気収納袋と、
当該空気収納袋を身体に装着するための空気収納袋装着具とからなる
ことを特徴とする身体装着用流体収納袋。
【請求項２】
１又は複数の水収納袋と、
水収納袋を身体に装着するための水収納袋装着具とを備えてなる
ことを特徴とする請求項１に記載の身体装着用流体収納袋。
【請求項３】
前記空気収納袋装着具又は前記水収納袋装着具のいずれか一方又は双方が、１又は複数の紐体、連結部材を有するベルト、カラビナのうちの１以上の要素から構成されている
ことを特徴とする請求項１又は２に記載の身体装着用流体収納袋。
【請求項４】
前記紐体の端部に連結手段を設け、
前記水収納袋及び前記空気収納袋に、前記連結手段と連結可能な被連結手段を設けた
ことを特徴とする請求項３に記載の身体装着用流体収納袋。
【請求項５】
収納部を有する細帯体であって、当該収納部に前記空気収納袋及び前記空気収納袋装着具又は前記水収納袋及び前記水収納袋装着具のいずれか一方又は双方が収納されてなる
ことを特徴とする請求項１又は２に記載の身体装着用流体収納袋。
【請求項６】
前記空気収納袋又は前記水収納袋のいずれか一方又は双方が、表裏２枚のシートよりなり全周が一箇所を残して密封されてなる袋本体と、
一端側が前記一箇所に接続され、他端側が袋本体の外方に延出した注入排出筒と、
前記注入排出筒における前記袋本体接続側基部の内周面に貼付した自己閉鎖性能を有する補助テープとを備え、
前記注入排出筒は、２枚のシートの両側部を接着して形成され、
前記補助テープは、注入排出筒の両側接着部において、少なくとも注入排出筒を形成する２枚のシートに架け渡すようにして貼付されている
ことを特徴とする請求項１〜請求項５のいずれか１項に記載の身体装着流体収納袋。
【請求項７】
前記注入排出筒の内面側と前記補助テープの接着面となる外面側とが同一素材の熱溶着性プラスチックス材であり、補助テープの非接着面である内面側は補助テープの外面側より高融点のプラスチックス材であることを特徴とする請求項６に記載の身体装着用流体収納袋。
【請求項８】
注入排出筒の内面側と補助テープの接着面となる外面側とはポリエチレンであることを特徴とする請求項６又は７に記載の身体装着用流体収納袋。
【請求項９】
補助テープの非接着面である内面側はナイロンであることを特徴とする請求項８に記載の身体装着用流体収納袋。
【請求項１０】
補助テープは、０．１０ｍｍ〜０．２０ｍｍのシートを２〜３枚積層して熱溶着してなるものであることを特徴とする請求項６〜９のいずれか１項に記載の身体装着用流体収納袋。
【請求項１１】
電波又は光を発する発信又は発光手段を備えた
ことを特徴とする請求項１〜１０のいずれか１項に記載の身体装着用流体収納袋。
【発明の詳細な説明】
【技術分野】
【０００１】
本発明は空気や水等の流体を収納するための身体装着用流体収納袋に関し、特に、空気を収納するための空気収納袋を備えてなる身体装着用流体収納袋に関する。
【背景技術】
【０００２】
日本では、記憶に新しいところで、１９９５年の阪神・淡路大震災をもたらした兵庫県南部地震、２０１１年の東日本大震災にもたらした東北地方太平洋沖地震などの大地震が発生し、将来的には東海地震、東南海地震、南海地震などの大地震の発生が危惧されており、国や地方公共団体を始め、国民それぞれにおいても防災に対する意識が高まっている。特に沿岸地域においては、東日本大震災のように、地震により発生する大津波の被害を受ける危険性があり、東日本大震災の教訓を生かして津波に対する対策が種々検討されている。
【０００３】
ところで、実際に津波に巻き込まれてしまった場合には、海面に長時間浮いている状態を保つことは体力的に限界があり、かつ、数日間飲み水すらも得られない状態が続けば、運良く助かる者を除き、水泳に自信がある者を含め大抵は水死し、しかも水没してしまうため水難者の発見が困難となり、行方不明者が多数にのぼるのが現実である。前記の東日本大震災において行方不明者が最も多い数字として震災直後の平成２３年４月５日時点で１５，３４７名と発表され、震災後から６年経過後の平成２９年３月１０日時点においても行方不明者は２，５５３名と発表されており、いつ収束するかがわからない状況になっている。
【０００４】
そこで、従来より、下記特許文献１〜５に示される救命具が提案されている。これら特許文献には、非常時には浮き袋として使用できる膨張可能な空気袋を備えた救命具が示されている。
【先行技術文献】
【特許文献】
【０００５】
【特許文献１】実開昭６２−９２７１８号公報
【特許文献２】実開平４−５６７０７号公報
【特許文献３】特開平９−１３１２２２号公報
【特許文献４】特開２００６−１４１５６７号公報
【特許文献５】特開２０１３−５２２２１号公報
【特許文献６】国際公開第２００９／０５４１７１号（特許第４８８０７５４号）公報
【発明の概要】
【発明が解決しようとする課題】
【０００６】
しかしながら、いずれの特許文献にも、飲み水を収納するための袋を備えているものは示されていない。津波の被害を受けて長期間にわたって海上を漂流せざるを得ない場合には、海上に浮いていることだけであれば、上記の特許文献に示される浮き袋となる救命具だけで達成は可能である。しかし、飲み水を必要とする場合には、海水を飲むわけにはいかず、この課題は上記の特許文献に記載の発明では解決し得ない。
【０００７】
また、上記の特許文献に記載の救命具は、いずれも袋以外にリュックなどの多種の付属物が伴うものであるため嵩高いものであり、不使用時に身近に常備しておくには邪魔になり、したがって押し入れ等に保管しておかざるを得ず、しかも、どこに保管したかが即座に思い出せないために、必要時にすぐに取り出して使用することができず、災害時等において現実に役に立つ可能性が低いという問題点があった。
【０００８】
一方、本願発明者は、上記特許文献６に示されるような、基本的に袋体のみからなり、災害時やレジャーの他、種々の用途において水を注入して使用でき、かつ、可搬可能でコンパクトな流体収納用袋を開発してきた。しかしながら、当該流体収納用袋は水の注入及び排出については極めて便利な構造のものであったが、これを空気袋として使用する際には、空気を吹き込む際に吹き込んだ空気の一部が逆流して吹き出すために吹き込みの効率が低下し、袋に空気を吹き込んで膨らませるのに若干時間を要する欠点があった。
【０００９】
本発明は、浮き袋として使用できるだけでなく飲み水を得ることができる流体収納袋を提供することを目的とし、漂流中のある程度の期間は飲み水が生命を維持することに役立ち、その後に死亡することがあっても、海面に漂流状態となるため捜索隊などが発見し易く、その結果、行方不明者の数を大きく減少させる効果があり、かつ、コンパクトな形態であって身近に常備しておいても邪魔にならず、かつ、空気の吹き込みが素早くできて、災害時等において即座に役立つ身体装着用流体収納袋の提供を目的とする。
【課題を解決するための手段】
【００１０】
本発明の請求項１に係る身体装着用流体収納袋（以下、単に「流体収納袋」という。）は、胸部側又は背部側のいずれか一方又は双方に装着する空気収納袋（以下、単に「空気袋」という。）と、当該空気袋を身体に装着するための空気袋装着具とからなることを特徴とする。
【００１１】
本発明の請求項２に係る流体収納袋は、上記請求項１に記載の構成に加えて、１又は複数の水収納袋（以下、単に「水袋」という。）と、水袋を身体に装着するための水袋装着具を備えてなることを特徴とする。
【００１２】
本発明の請求項３に係る流体収納袋は、上記請求項１又は２に記載の構成に加えて、前記空気袋装着具又は前記水袋装着具のいずれか一方又は双方が、１又は複数の紐体、連結部材を有するベルト、カラビナのうちの１以上の要素から構成されていることを特徴とする。
【００１３】
本発明の請求項４に係る流体収納袋は、上記請求項３に記載の構成に加えて、前記紐体の端部に連結手段を設け、前記水袋及び前記空気袋に前記連結手段と連結可能な被連結手段を設けたことを特徴とする。
【００１４】
本発明の請求項５に係る流体収納袋は、上記請求項１又は２に記載の構成に加えて、収納部を有する細帯体であって、当該収納部に前記空気袋及び前記空気袋装着具又は前記水袋及び前記水袋装着具のいずれか一方又は双方が収納されてなることを特徴とする。
【００１５】
本発明の請求項６に係る流体収納袋は、上記請求項１〜請求項５のいずれか１項に記載の構成に加えて、前記空気袋又は前記水袋のいずれか一方又は双方が、表裏２枚のシートよりなり全周が一箇所を残して密封されてなる袋本体と、一端側が前記一箇所に接続され、他端側が袋本体の外方に延出した注入排出筒と、前記注入排出筒における前記袋本体接続側基部の内周面に貼付した自己閉鎖性能を有する補助テープとを備え、前記注入排出筒は、２枚のシートの両側部を接着して形成され、前記補助テープは、注入排出筒の両側接着部において、少なくとも注入排出筒を形成する２枚のシートに架け渡すようにして貼付されていることを特徴とする。
【００１６】
本発明の請求項７に係る流体収納袋は、上記請求項６に記載の構成に加えて、前記注入排出筒の内面側と前記補助テープの接着面となる外面側とが同一素材の熱溶着性プラスチックス材であり、補助テープの非接着面である内面側は補助テープの外面側より高融点のプラスチックス材であることを特徴とする。
【００１７】
本発明の請求項８に係る流体収納袋は、上記請求項６又は７に記載の構成に加えて、注入排出筒の内面側と補助テープの接着面となる外面側とはポリエチレンであることを特徴とする。
【００１８】
本発明の請求項９に係る流体収納袋は、上記請求項８に記載の構成に加えて、補助テープの非接着面である内面側はナイロンであることを特徴とする。
【００１９】
本発明の請求項１０に係る流体収納袋は、上記請求項６〜９のいずれか１項に記載の構成に加えて、補助テープは、０．１０ｍｍ〜０．２０ｍｍのシートを２〜３枚積層して熱溶着してなるものであることを特徴とする。
【００２０】
本発明の請求項１１に係る流体収納袋は、上記請求項１〜１０のいずれか１項に記載の構成に加えて、電波又は光を発する発信又は発光手段を備えたことを特徴とする。
【００２１】
上記のように構成したことにより、例えば津波警報が発せられた時点で、流体収納袋中の水袋に水道などから飲料水を注入して水が補給できるように準備して避難場所に移動し、避難場所において空気袋に空気を吹き込んで浮き袋の代わりとして使用できるように準備し、これら水袋及び空気袋を装着具により身体に装着すれば、津波の被害を受けたときには、空気袋が浮き袋となり、水袋が水補給用の袋となる。したがって、空気袋により海上に長期間浮いていることが可能となり、また、水袋により必要に応じて水を補給することが可能となる。なお、水袋に５０℃〜６０℃の温水を入れて使用すれば、水袋を抱き抱えることにより体温の低下を防ぐことかでき、かつ、温水を飲めば体が冷えるのを防止できると共に心が落ち着いて不安感が和らぐ効果がある。さらに、空気袋を身体の前後に装着することにより、漂流状態において仰向け又は直立して漂流する姿勢となるため、漂流状態で睡眠をとることが可能となる。さらに、空気袋及び水袋をそれぞれ複数備えておけば、さらに万全の体制となるばかりでなく、他の人に空気袋及び水袋を提供することができる。
【００２２】
また、本発明の流体収納袋は、不使用時には空気袋及び水袋を小さく折り畳むことができ、また、他の装着具と共に細帯体に収納しておくことによりコンパクトになるので、壁などのハンガーにかけておけば即座に使用することができる。
【００２３】
さらに、本発明の流体収納袋は、注入排出筒における袋本体接続側基部の内周面に自己閉鎖性能を有する補助テープを備えているので、空気を吹き込む際に吹き込んだ空気の逆流が少なくなるので、素早く膨らませることができる。
【００２４】
さらにまた、本発明の流体収納袋は、前記の補助テープが０．１０ｍｍ〜０．２０ｍｍのシートを２〜３枚積層して熱溶着してなるものであるため、加熱により硬化した熱溶着個所が何重にも重なる。例えば補助テープがシート１枚よりなる場合には、シートの外面と注入排出筒の内面との１個所であるが、補助テープがシート３枚よりなる場合には、シート同士の内外面の２個所と最も外側に位置するシートの外面と注入排出筒の内面との１個所との合計３個所になる。したがって、補助テープを積層したことにより、熱溶着個所における補助テープが扁平な状態へ復元する復元性が向上するために優れた自己閉鎖性能を発揮するため、注入排出筒が空気の吹き込みにより拡開しても、空気の吹き込みを停止すると、即座に注入排出筒が閉塞して袋内部に吹き込んだ空気が逆流して注入排出筒から吹き出ることを低減させる効果があり、流体収納袋への空気の吹き込み効率が向上する。
【００２５】
また、本発明の流体収納袋は、例えばＧＰＳ機能付きの位置情報発信機等の小型の発信機等の電波を発する発信手段、又は、例えば懐中電灯等の携帯に便利な小型の光を発する発光手段を備えているので、流体収納袋を身体に装着しておけば、たとえ海上で漂流していても、電波の発信や光の発光により、漂流者が発見しやすくなるので、捜索救助活動が容易となり、行方不明者の数が大幅に減少する。
【発明の効果】
【００２６】
本発明に係る流体収納袋は、津波や海難事故に遭遇した場合に、当該流体収納袋における空気を吹き込んで膨らませた空気袋と、水を注入した水袋とを装着具により身体に装着しておけば、空気袋が浮き袋として使用でき、かつ、水袋により飲み水を確保することができるので、空気袋により漂流していても、ある程度の期間は飲み水により生命を維持することができる。また、漂流中に死亡することがあっても、空気袋によって海面での漂流状態が継続するため捜索隊などが発見し易く、その結果、行方不明者の数を激減させる効果がある。さらに、流体収納袋はコンパクトに折り畳める形態であるため、身近に常備しておいても邪魔になることがない。さらにまた、空気袋への空気の吹き込みも素早くできる効果がある。
【図面の簡単な説明】
【００２７】
る。
【図１】実施例１の流体収納袋の上半部を示す正面図である。
【図２】実施例１の流体収納袋の下半部を示す正面図である。
【図３】図２におけるIII-III線端面図である。
【図４】補助テープが拡張した場合における補助テープに掛かる圧力が分散する状態を示す模式図である。
【図５】図３における補助テープの拡大図である。
【図６】補助テープが拡張した場合における復元力が働く状態を示す模式図である。
【図７】本発明に係る実施例の流体収納袋に水を収納した状態を示す斜視図である。
【図８】図１におけるVIII-VIII線端面図である。
【図９】図１におけるIX-IX線端面図である。
【図１０】本発明に係る実施例の流体収納袋の蓋部を開けた状態を示す下半部省略正面図である。
【図１１】図１０におけるXI-XI線端面図である。
【図１２】本発明に係る実施例の流体収納袋の蓋部を閉じた状態を示す下半部省略端面図である。
【図１３】図１０において注入排出筒を引き延ばすと共に絞り込んだ状態を示す下半部省略正面図である。
【図１４】本発明に係る実施例の流体収納袋に流体を収納し、付属の紐を取り付けて背負える形態に構成した状態を示す斜視図である。
【図１５】本発明に係る実施例の流体収納袋に流体を収納し、身体装着具を取り付けて背負える形態に構成した状態を示す一部概略斜視図である。
【図１６】本発明に係る実施例の流体収納袋を収納して持ち運ぶため使用する包装カバーの扁平な状態を示す斜視図である。
【図１７】図１６に示す包装カバーを膨らませた状態を示す斜視図である。
【図１８】包装カバーに流体収納袋を収納しようとする状態を示す概略斜視図である。
【図１９】包装カバーに流体収納袋を収納した状態を示す概略斜視図である。
【図２０】図１９におけるXX-XX線端面図である。
【図２１】流体収納袋に空気等の流体を収納して包装カバーに収納した状態を示す概略斜視図である。
【図２２】流体収納袋を収納するために使用する保管袋の一部省略斜視図である。
【図２３】３つの流体収納袋うち２つを空気袋として使用し、１つを水袋として使用し、それぞれを身体に装着して水面に浮かんでいる状態を示す概略図である。
【図２４】図２３に関して、２つの空気袋を身体に装着した状態を示す概略拡大図である。
【図２５】ベルト等を使用して、２つの空気袋を身体に装着した状態を示す概略拡大図である。
【発明を実施するための形態】
【００２８】
本発明の好適な実施例を添付の図の従って詳細に説明する。
【実施例１】
【００２９】
図１及び図２において、Ａは本実施例の空気又は水等の流体を収納する流体収納袋であり、該流体収納袋Ａは、袋本体１０と、一つの注入排出筒３０とから形成される。各図に示すように、袋本体１０は、プラスチックフィルム等よりなる表裏２枚のシート１０ａ，１０ｂをその四周において溶着することにより形成されている。すなわち、溶着部は、上部溶着部１２ａ、左側溶着部１２ｂ、右側溶着部１２ｃ、底部溶着部１２ｄ，１２ｅがあり、いずれも線状に溶着されている。なお、袋本体１０は、上部溶着部１２ａより下の箇所をいうものとする。そして、この上部溶着部１２ａにおいては、表裏シート１０ａ，１０ｂが溶着されているが、上部溶着部１２ａの線上であっても、図１における中央部よりやや左の、空気や水等の流体が送通する流体送通箇所１４においては、表裏シート１０ａ，１０ｂは溶着されていない。
【００３０】
注入排出筒３０は同じくプラスチックフィルムよりなる扁平筒状体であり、内容物（空気や水）の注入と排出との双方を行う。その下端３２ｂは、前記の上部溶着部１２ａすなわち流体送通箇所１４よりやや下方に位置している。この注入排出筒３０を構成する表裏シート３０ａ，３０ｂは、その両側部３２ｃ，３２ｄにおいて相互に溶着され、その上端３２ａ及び下端３２ｂが開口している。そして、この注入排出筒３０は袋本体１０に対して次のように取付けられる。すなわち、流体送通箇所１４において、注入排出筒３０の図１における手前側（表側）のシート３０ａの外面は、袋本体１０を構成する手前側（表側）のシート１０ａの内面と溶着されている。また、注入排出筒３０を構成する背面側（裏側）のシート３０ｂの外面は、袋本体１０を構成する背面側（裏側）のシート１０ｂの内面に溶着されている。このようにして、注入排出筒３０が袋本体１０に溶着固定されるとともに、注入排出筒３０の下方に位置する流体送通箇所１４のみにおいて、袋本体１０は注入排出筒３０を通じて外部と連通しており、袋本体１０はその余の箇所においては全て密閉している。
【００３１】
この注入排出筒３０には、図３に示すように、袋本体１０に対して溶着固定により接続されている側の基部、すなわち前記流体送通箇所１４の内周面に、扁平な状態に折り曲げた環状の補助テープ４０が溶着固定されている。そして、補助テープ４０は、注入排出筒３０を構成する２枚のシート３０ａ，３０ｂの両側部３２ｃ，３２ｄにおける接着部において、注入排出筒３０を形成する２枚のシート３０ａ，３０ｂに架け渡すようにして溶着固定されている。このように構成したことにより、補助テープ４０は前記注入排出筒３０における流体送通箇所１４の破損を防止する。すなわち、上記袋Ａに、図７及び後述するように、流体を収納し、開口している注入排出筒３０の上端３２ａを閉塞した場合に、その袋に対して落下や押圧等による強度の外力が加わると、図４に示すように、注入排出筒３０の流体送通箇所１４において、注入排出筒３０を膨張させようとする内圧（細矢印で示す）が掛かる。しかし、この内圧は、補助テープ４０を伸張させる方向の力（白抜き太矢印で示す）に分散され、この伸張力に対する補助テープ４０の強度が、前記の内圧による注入排出筒３０を構成する２枚のシート３０ａ，３０ｂの接着部を引き剥がす方向の力を抑止することとなる。
【００３２】
また、図５に示すように、補助テープ４０は、０．１５ｍｍのシート４０ａ，４０ｂ，４０ｃを３枚積層して形成してなるものであり、補助テープ４０を注入排出筒３０に溶着固定する際に、内側シート４０ａの外面が中間シート４０ｂの内面に溶着され、中間シート４０ｂの外面が外側シート４０ｃの内面に溶着され、外側シート４０ｃの外面が注入排出筒３０を形成するシート３０ａの内面に溶着されることになる。したがって、補助テープ４０の溶着個所は合計３個所となる。また、シート３０ｂについても同様に補助テープ４０の溶着個所は合計３個所の溶着となる。
【００３３】
このように構成すると、補助テープ４０の強度が向上して前述の流体送通箇所１４の破損防止効果を増大させると共に、扁平な状態に折り曲げた環状の補助テープ４０が拡開しても、溶着により硬化した溶着個所における補助テープ４０は、元の扁平な状態へ復元しようとする復元性が向上するために優れた自己閉鎖性能を発揮する。すなわち、図６に示すように、袋本体１０に空気を吹き込もうとする空気圧により注入排出筒３０が拡開する方向に内圧（細矢印で示す）が掛かる。その際、この内圧の反力として注入排出筒３０を狭めて元の状態に復元する方向の力（白抜き太矢印で示す）が働き、空気の吹き込みを停止すると、この反力により元の状態（扁平な状態）に復元して、拡開した注入排出筒３０が狭められる。そして、この反力が上記した補助テープ４０を構成する積層状態で熱硬化した内側シート４０ａ、中間シート４０ｂ及び外側シート４０ｃにより増大するので即座に注入排出筒３０が閉塞する。したがって、注入排出筒３０から空気を吹き込む際に注入排出筒３０が拡開しても、息継ぎ等により空気の吹き込みを停止しても、注入排出筒３０が前記の自己閉鎖性能により直ちに閉塞するため、袋内部に吹き込んだ空気が逆流して注入排出筒３０から吹き出てしまうことが低減されるので、流体収納袋Ａへの空気の吹き込み効率が向上し、吹き込み作業が行いやすくなり、短時間で袋内部に空気を吹き込んで袋本体１０を膨らませることができる。
【００３４】
なお、本実施例においては、補助テープ４０は、注入排出筒３０の内周面において、一部を除く周囲に貼付されているが、全周に渡って貼付してもよい。
【００３５】
また、補助テープは、０．１０ｍｍ〜０．２０ｍｍのシートを２〜３枚積層して熱溶着されるものであり、最小厚みが０．２０ｍｍで、最大厚みが０．６０ｍｍである。補助テープの厚みが０．２０ｍｍ未満であると、望ましい自己閉鎖性能が発揮できず、０．６０ｍｍを超えると自己閉鎖性能が発揮しすぎて空気の吹き込みがしにくくなる。
【００３６】
そして、補助テープ４０の接着面となる外面側は、注入排出筒３０の内面側と同一素材の溶融圧着性プラスチックス材、例えばポリエチレンを使用し、補助テープ４０の非接着面である内面側には、補助テープ４０の外面側より高融点のプラスチックス材、例えばナイロンを積層した構成としている。そして、補助テープ４０を構成する３枚のシートについては全て同一構成であり、補助テープ４０の外面となる外側シート４０ｃは、その外面が注入排出筒３０の内面側と同一素材の溶融圧着性プラスチックス材、例えばポリエチレンを使用し、内面は高融点のプラスチックス材、例えばナイロンを使用する。中間シート４０ｂは、その外面が溶融圧着性プラスチックス材、例えばポリエチレンを使用し、内面は高融点のプラスチックス材、例えばナイロンを使用する。内側シート４０ａは、その外面が溶融圧着性プラスチックス材、例えばポリエチレンを使用し、内面は高融点のプラスチックス材、例えばナイロンを使用する。このように構成すれば、対面する補助テープ４０の内側シート４０ａの内面同士は接着されず、非接着面となるので注入排出筒３０による注入排出作用を維持したまま、上部溶着部１２ａを形成する際に、表裏シート１０ａ，１０ｂと注入排出筒３０との熱溶着及び注入排出筒３０と補助テープ４０との熱溶着及び外側シート４０ｃと中間シート４０ｂと内側シート４０ａとの熱溶着を同時に行うことができるので、作業性が向上する利点がある。
【００３７】
表裏シート１０ａ，１０ｂは、図１に示すように、上部の溶着部１２ａより上方に伸びて延長部２０を形成している。この延長部の上端２０ａと左右両側部２０ｂ，２０ｃとにおいて、表裏シート１０ａ，１０ｂが溶着されている。但し、図１及びその端面図である図８及び図９に示すように、上端の溶着部２０ａにおいては、図１における左側の箇所２２において表裏シート１０ａ，１０ｂは溶着されていない。この非溶着箇所２２は、前記の上部溶着部１２ａにおける流体送通箇所１４と軸方向に一致した位置にある。そして、この非溶着箇所２２を扁平な筒状体の注入排出筒３０が通過している。この実施例においては、前記非溶着箇所２２において表裏シート１０ａ，１０ｂと注入排出筒３０とは溶着されていない。なお、２４は延長部に設けた手提用の孔であり、この手提用の孔２４に指を差し入れて袋Ａを手で提げることができるようになっている。
【００３８】
そして、図８に示すように、前面側のシート１０ａと注入排出筒３０との間の空間部は、注入排出筒３０を折り畳んだ状態で収容するためのポケット部２６を形成する。背面側のシート１０ｂの前記箇所２２においては、このポケット部２６を閉じる蓋２８が溶着されている。図１に示す状態において液体等を袋本体１０の内部に注入した後、図１０及び図１１に示すように、注入排出筒３０をその軸方向に折畳んで、ポケット部２６の内部に収納する。また、蓋２８の先端である自由端２８ａに面ファスナーの雌部材２８ｃが設けられており、蓋２８を袋本体１０の側に折り返した際に雌部材２８ｃと対応する箇所に雄部材１０ｃが取り付けられている。そして、蓋２８を、ポケット部２６に収納した注入排出筒３０の折畳み体３０’を覆うようにして、その自由端２８ａを袋本体１０を構成する前面側の表シート１０ａのさらに前面側に折り返し、自由端２８ａに配した面ファスナーの雌部材２８ｃと袋本体１０を構成する前面側の表シート１０ａに配した面ファスナーの雄部材１０ｃを係合させることにより、ポケット部２６を蓋２８により閉塞する（図１２）。このようにポケット部２６を蓋２８により閉塞すると、折畳み体３０’の折畳み状態が保持される。したがって、袋内部に収納された空気や水等が外部へ漏出しようとしても、このように折り畳み状態が保持された注入排出筒３０を空気や水等は通過することができない。なお、図１１及び図１２においては、簡単のため、注入排出筒３０を構成する表裏シート３０ａ，３０ｂはそれぞれ１本の線で表わし、厚みは表していない。また、折畳み体３０’はその角部を円弧状に表しているが、実際には、折線状に屈曲していて、折り畳み体３０’自体は扁平な状態であり、屈曲部の角部により空気や水等の通過を遮断することができる。そして、注入排出筒３０をポケット部２６の内部に折り畳んだ状態において、蓋２８を閉塞する際には、これら雌雄部材２８ｃ，１０ｃが蓋の閉塞状態を保持する手段となる。
【００３９】
また、図１０に示すように、前記の雌部材２８ｃには穴２８ｄが形成されている。この穴２８ｄは上下にある円形口２８ｅ，２８ｆと両者を連結する線状の切込み２８ｇとからなる。そして、注入排出筒３０を引き延ばした状態で、図１３に示すように、この穴２８ｄに挿入する。これにより、注入排出筒３０は穴２８ｄにより絞り込まれる。この穴２８ｄは上下に円形口２８ｅ，２８ｆを有することによりその拡開が容易であり、したがって、注入排出筒３０の挿入が容易である。しかも、２つの円形口２８ｅ，２８ｆの間に線状の切込み２８ｇを有することにより、挿入された注入排出筒３０がこの切込み２８ｇの箇所で強く圧迫されて、効果的な絞り込み状態を得ることができる。
【００４０】
次に、図２により袋本体１０の底部１５について説明する。この底部１５はガゼット状に折畳まれている。すなわち、表裏シート１０ａ，１０ｂは、底部１５において、その対向面側に折返されている。折返し片１６ａ，１７ａは頂部１８において連続している。このようにして、表裏２枚の折重ね部１６，１７が形成される。いずれの折重ね部１６，１７にも斜め方向の溶着部１６ｂ，１７ｂが形成されており、袋内の空気や水がこの溶着部１６ｂ，１７ｂにより遮断されて底部の隅角部１８ａに到達しないように構成されている。このような底部構造を有しているので、内部に空気や水等を収納した場合には、底部１５が広がり、図７の斜視図に示すような形態になる。本実施例では、袋本体１０が表裏２枚のシート１０ａ，１０ｂでできた扁平なものであって底部１５にマチを有するものを示したが、底部にマチを有さないもの、逆に、袋本体の側部にもマチを有するものもこの発明の範囲内である。
【００４１】
図１４は、本実施例の流体収納袋Ａに空気や水等の流体を収納し、リュックのように背負うことができる形態に構成したものである。すなわち、流体収納袋Ａは、その袋底部１５の左右両側の偶角部１８ａに穴１５ａが設けられており、延長部２０に設けた手提げ用の孔２４と底部１５の４つの穴１５ａとの間に、流体収納袋Ａに付属の紐Ｂを掛け渡し、この紐Ｂにより流体収納袋Ａを背負うことができるようにしたものである。前記紐Ｂは、図１に示すように、巻回された状態で、表裏シート１０ａ，１０ｂの上部の溶着部１２ａより上方の延長部２０の図における右側の空間部２０’に、開口部２０’ａを通じて出し入れ可能に収納されており、必要に応じて紐Ｂを開口部２０’ａから取り出して、図１４に示すように、流体収納袋Ａをリュックのように背負うことができるように、流体収納袋Ａに掛け渡して前述のように使用する。
【００４２】
図１５（注入排出筒３０等の説明済みの構成は図示を省略する）は、上記の流体収納袋Ａに付属の紐Ｂを使用せずに、連結部材ｂ１を有するベルトＢ１と、当該連結部材ｂ１に連結可能であって、流体収納袋Ａに設けた被連結部材ｂ２とを身体への装着具として使用した例である。前記ベルトＢ１は、その中間部が延長部２０に設けた手提げ用の孔２４を利用して取り付けられ、当該中間部から左右に、長さ調節可能な右ベルトＢ１ａと左ベルトＢ１ｂとに分かれ、右ベルトＢ１ａ及び左ベルトＢ１ｂのそれぞれの端部に連結部材ｂ１が取り付けられている。流体収納袋Ａ側の前記被連結部材ｂ２は取り付け紐を備えており、流体収納袋Ａに設けた穴１５ａを利用して取り付けられている。そして、連結部材ｂ１と被連結部材ｂ２とを連結すると、右ベルトＢ１ａ及び左ベルトＢ１ｂはそれぞれ肩掛けベルトとなり、リュックのように背負うことができる形態となる。
【００４３】
図１６及び図１７に示すＣは、上記流体収納袋Ａを収納するための包装カバーである。当該包装カバーＣは、しなやかな合成樹脂シートにより形成されるものであって、角部などの切断端部が皮膚に接触しても当該端部の方が屈曲して皮膚に対する擦れ感を感じさせが、本実施例においては角部の尖っている個所を全て角丸に構成してさらに角部に対する接触感を良好にした。また、当該包装カバーＣは、不透明の合成樹脂シートであって、内包されている流体収納袋Ａが外部から見えないようになっている。当該包装カバーＣは、上方が開口した扁平な矩形状の袋体をなし、その底部の左右に開口部Ｃ１、Ｃ２が形成されている。この開口部Ｃ１，Ｃ２を利用して、袋本体１０の隅角部１８ａを露出させることができ、紐通し用孔１５ａを前述したように使用することができる。したがって、前記包装カバーＣは、その底部の左右に開口部Ｃ１、Ｃ２を利用すれば、上記のように包装カバーＣを使用した状態で、図１４や図１５に示すように、リュックのように背負う形態にすることが可能である。しかも、当該包装カバーＣは、流体収納袋Ａを保護する役目を果たし、包装カバーＣと流体収納袋Ａとで流体収納袋Ａに収納される空気や水等の流体に対して二重構造となるので、流体収納袋Ａが破損するのを防止している。
【００４４】
当該包装カバーＣの上部には、提げ手用穴Ｃ３が形成されており、当該提げ手用穴Ｃ３は、前述の流体収納袋Ａにおける手提用の孔２４の形状に合致する形状に構成されている。そして、図１８に示すように、流体収納袋Ａを包装カバーＣに収納した状態（図１９）にすると、包装カバーＣに流体収納袋Ａを包装した状態で流体収納袋Ａにおける手提用の孔２４と包装カバーＣにおける提げ手用穴Ｃ３とを利用して持ち運びすることができる。図２０は図１９の断面図であり、図２１は包装カバーＣが流体収納袋Ａを包装した状態を示す。
【００４５】
また、包装カバーＣ上部の対面する一方の内面側に面ファスナーのフック部が取り付け、包装カバーＣに流体収納袋Ａを包装した状態で面ファスナーのフック部の位置に合致する流体収納袋Ａの表裏のシート１０ａ，１０ｂの外面の位置に面ファスナーのループ部を取り付けてもよく、その場合には、流体収納袋Ａが包装カバーＣに包装された状態において面ファスナーのフック部と面ファスナーのループ部とが結合するので、包装カバーＣが流体収納袋Ａを包装した状態で流体収納袋Ａの手提用の孔２４だけを利用しても流体収納袋Ａを持ち運びすることができる。もちろん、包装カバーＣ上部の対面する両方の内面側に面ファスナーのフック部を取り付け、流体収納袋Ａの表裏のシート１０ａ，１０ｂの両外面の位置に面ファスナーのループ部を取り付けてもよい。なお、面ファスナーのフック部と面ファスナーのループ部に代えて両面接着テープを使用してもよい。
【００４６】
図２２に示すＤは、上記流体収納袋Ａを収納して保管しておくための細帯体状の保管袋である。当該保管袋Ｄは、皮、合成樹脂又は繊維生地等の柔軟なシートにより形成されたものであって、３つの袋体が連設して構成されている。各袋体はスライドファスナーにより開閉する開口部Ｄ１，Ｄ２，Ｄ３を備えており、当該開口部Ｄ１，Ｄ２，Ｄ３のそれぞれから３つの流体収納袋Ａそれぞれを、矢符で示すように、各袋体に出し入れ可能に収納することができる。また、各袋体には、上記したようなベルトＢ１や包装カバーＣを同梱して保管しておいてもよく、後述するような装着具を収納して保管しておいてもよい。また、図示を一部省略するが、保管袋の両端に、互いに連結可能なバックルを端部に備えたベルトＤ４，Ｄ５を連設しているので、このベルトＤ４，Ｄ５を利用して、腰に装着したり、ハンガー等の身近にある掛け具に掛けておくために使用することができる。
【００４７】
次に、上記実施例において説明した流体収納具Ａの身体への装着方法について説明する。
【００４８】
図２３は、流体収納袋Ａを身体に装着した状態の例示であるが、２つの流体収納袋Ａを空気袋Ａ１，Ａ２として装着し、１つの流体収納袋Ａを水袋Ａ３として装着して、水上に浮かんでいる様子を示す概略図である。すなわち、空気袋Ａ１は背部側に背負い、空気袋Ａ２は胸部側で抱き抱える状態となり、水袋Ａ３は二つの空気袋Ａ１，Ａ２に連結されている。もちろん、その状態において、予備として流体収納袋Ａを収納した上記の保管袋Ｄを腰等に装着しておいてもよい。
【００４９】
上記空気袋Ａ１，Ａ２及び水袋Ａ３を装着する手順は、まず、空気袋Ａ１，Ａ２及び水袋Ａ３を図２１に示す包装カバーＣに収容する。空気袋Ａ１，Ａ２は、これに空気を吹き込むことにより膨らましておき、水袋Ａ３には水を注入しておく。そして、水を注入した水袋Ａ３に付属している紐Ａ３Ｂを取り出して、図１４に示すように、その中間部を水袋Ａ３の手提用の孔２４に取り付け、紐Ａ３Ｂの両端部を結んで輪を形成し、この輪にカラビナＥを取り付けておく。もちろん、包装カバーＣを使用しなくてもよい。
【００５０】
次に、空気袋Ａ１，Ａ２に付属している紐Ａ１Ｂ，Ａ２Ｂを取り出し、紐Ａ１Ｂは、その中間部を、図１４に示すように、空気袋Ａ１の手提用の孔２４に取り付け、紐Ａ１Ｂの両端部を空気袋Ａ２の手提用の孔２４に取り付ける。このようにして空気袋Ａ１の手提用の孔２４及び空気袋Ａ２の手提用の孔２４に掛け渡された紐Ａ１Ｂにより形成される輪に、図２４に示すように、頭を通して、空気袋Ａ１を背部側へ、空気袋Ａ２を胸部側へそれぞれ配置する。紐Ａ２Ｂは、これを空気袋Ａ１，Ａ２それぞれの一方側の底部の紐通し用孔１５ａに通した後、図２４に示すように、紐Ａ２Ｂを、股の間を交差させて空気袋Ａ１，Ａ２それぞれの他方側の底部の紐通し用孔１５ａに通した後、紐Ａ２Ｂの両端部を結びつける。以上により身体に空気袋Ａ１，Ａ２が装着される。もちろん、空気袋Ａ１，Ａ２に付属している紐Ａ１Ｂ，Ａ２Ｂを使用せずに、図１５に示すように、連結部材ｂ１を有するベルトＢ１と、当該連結部材ｂ１に連結可能であって、流体収納袋Ａに設けた被連結部材ｂ２とを身体への装着具として使用して、図２５に示すような体裁に装着してもよい。
【００５１】
空気袋Ａ１，Ａ２が身体に装着されている状態において、腰付近に位置する紐Ａ２ＢにカラビナＥを利用して前記の水が注入された水袋Ａ３を取り付ける。もちろん、カラビナを使用せずに紐Ａ３Ｂの両端部を紐Ａ２Ｂに直接結着してもよいが、カラビナを使用すると水袋Ａ３の着脱が容易である。
【００５２】
以上のように、空気袋Ａ１，Ａ２及び水袋Ａ３を身体に装着すれば、図２３に示すように、空気袋Ａ１，Ａ２により立った姿勢で水面に浮かぶことができ、また、水袋Ａ３により水を補給することが可能となる。また、水面に浮かんで漂流している際に、空気袋Ａ１，Ａ２の一つが流木その他の障害物に引っ掛かるようなことがあれば、当該空気袋から空気を抜くと、折り畳むことができるので、障害物に対する引っ掛かりから抜け出すことができ、その後に当該空気袋に空気を吹き込めば、浮袋として使用することができる。さらに、水袋については、その内部に収納された水がなくなれば、空気を吹き込んで浮袋として使用することができる。
【００５３】
なお、上記の装置着方法は一例であり、手近にある紐やベルト等を使用して多種多様の装着方法で身体に装着することができる。
【００５４】
また、図示を省略するが、本実施例に係る流体収納袋Ａは、これにＧＰＳ受信機（地球測位衛星からの送信信号を受信する受信機）及び当該ＧＰＳ受信機からの受信情報に基づく位置情報を発信する電波発信機や光信号を発信する発信機を備えておくと、当該流体収納袋Ａを身体に装着しておくだけで、たとえ海上で漂流していても、その漂流位置が発見しやすくなるので、救助隊などによる捜索活動が容易となる。
【００５５】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５６】
Ａ・・・・・流体収納袋
Ａ１・・・・空気袋
Ａ２・・・・空気袋
Ａ３・・・・水袋
Ａ１Ｂ・・・紐
Ａ２Ｂ・・・紐
Ａ３Ｂ・・・紐
Ｂ・・・・・紐
Ｂ１・・・・ベルト
Ｂ１ａ・・・右ベルト
Ｂ１ｂ・・・左ベルト
ｂ１・・・・連結部材
ｂ２・・・・被連結部材
Ｃ・・・・・包装カバー
Ｃ１・・・・開口部
Ｃ２・・・・開口部
Ｃ３・・・・提げ手用孔
Ｄ・・・・・保管袋（細帯体）
Ｄ１・・・・開口部
Ｄ２・・・・開口部
Ｄ３・・・・開口部
Ｄ４・・・・ベルト
Ｄ５・・・・ベルト
Ｅ・・・・・カラビナ
１０・・・・袋本体
１０ａ・・・袋本体を構成する表側のシート
１０ｂ・・・袋本体を構成する裏側のシート
１０ｃ・・・面ファスナーの雄部材
１２ａ・・・上部溶着部
１２ｂ・・・左側溶着部
１２ｃ・・・右側溶着部
１２ｄ・・・底部溶着部
１２ｅ・・・底部溶着部
１４・・・・流体層通箇所（注入排出筒の袋本体接続側の基部）
１５・・・・底部
１５ａ・・・紐通し用孔
１６・・・・折り重ね部
１６ａ・・・折り返し片
１６ｂ・・・溶着部
１７・・・・折り重ね部
１７ａ・・・折り返し片
１７ｂ・・・溶着部
１８・・・・頂部
１８ａ・・・偶角部
２０・・・・延長部
２０ａ・・・延長部の上端
２０ｂ・・・延長部の左側部
２０ｃ・・・延長部の左側部
２０’・・・空間部
２０’ａ・・開口部
２２・・・・非溶着箇所
２４・・・・手提用の孔
２６・・・・ポケット部
２８・・・・蓋
２８ａ・・・蓋の自由端
２８ｃ・・・面ファスナーの雌部材
２８ｄ・・・面ファスナーの雌部材に形成した孔
２８ｅ・・・孔の円形口
２８ｆ・・・孔の円形口
２８ｇ・・・孔の切り込み
３０・・・・注入排出筒
３０’・・・注入排出筒の折り畳み体
３０ａ・・・注入排出筒を構成する表側のシート
３０ｂ・・・注入排出筒を構成する裏側のシート
３２ａ・・・注入排出筒の開放上端
３２ｂ・・・注入排出筒の開放下端
３２ｃ・・・注入排出筒の左側溶着部
３２ｄ・・・注入排出筒の右側溶着部
４０・・・・補助テープ
４０ａ・・・補助テープの内側シート
４０ｂ・・・補助テープの中間シート
４０ｃ・・・補助テープの外側シート
【図１】
2018176903.tif 000003
【図２】
2018176903.tif 000004
【図３】
2018176903.tif 000005
【図４】
2018176903.tif 000006
【図５】
2018176903.tif 000007
【図６】
2018176903.tif 000008
【図７】
2018176903.tif 000009
【図８】
2018176903.tif 000010
【図９】
2018176903.tif 000011
【図１０】
2018176903.tif 000012
【図１１】
2018176903.tif 000013
【図１２】
2018176903.tif 000014
【図１３】
2018176903.tif 000015
【図１４】
2018176903.tif 000016
【図１５】
2018176903.tif 000017
【図１６】
2018176903.tif 000018
【図１７】
2018176903.tif 000019
【図１８】
2018176903.tif 000020
【図１９】
2018176903.tif 000021
【図２０】
2018176903.tif 000022
【図２１】
2018176903.tif 000023
【図２２】
2018176903.tif 000024
【図２３】
2018176903.tif 000025
【図２４】
2018176903.tif 000026
【図２５】
2018176903.tif 000027